(57)【要約】      （修正有）【課題】オーディオデバイスのオーディオキャリブレーションのための方法を提供する。【解決手段】方法は、オーディオ信号１１４の表現をマイクロフォン１０８によって登録すること、データ処理ユニットによって、オーディオ信号１１４の登録された表現をフィードバック画像データへと処理すること、フィードバック画像データをディスプレイ１１２上で表示すること、ディスプレイ１１２上に表示されるフィードバック画像データをカメラ１０６によって取得すること、及びカメラ１０６によって取得されたフィードバック画像データに基づいて、オーディオデバイス１０２のオーディオに影響を与える設定を変更することを含む。【選択図】図１
2016092836.tif 000002
【特許請求の範囲】
【請求項１】
オーディオデバイスのオーディオキャリブレーションのための方法であって、  
周辺デバイス（１１６、４１６）のマイクロフォン（１０８、４０８）によってオーディオ信号（１１４、４１４）の表現を登録すること（５０２）、
データ処理ユニット（４２２、４３０）によって、前記オーディオ信号（１１４、４１４）の前記登録された表現をフィードバック画像データへと処理すること（５０４）、
前記周辺デバイス（１１６、４１６）のディスプレイ（１１２、４１２）上に前記フィードバック画像データを表示すること（５０６）、
前記オーディオデバイス（１０２、４０２）のカメラ（１０６、４０６）によって、前記ディスプレイ（１１２、４１２）上に表示される前記フィードバック画像データを取得すること（５０８）、及び
前記カメラ（１０６、４０６）によって取得された前記フィードバック画像データに基づいて、前記オーディオデバイス（１０２、４０２）のオーディオに影響を与える設定を変更すること（５１０）
を含む方法。
【請求項２】
前記オーディオ信号（１１４、４１４）の前記登録された表現をフィードバック画像データへと処理すること（５０４）が、前記周辺デバイス（１１６、４１６）のデータ処理ユニット（４２２）上で実行される、請求項１に記載の方法。
【請求項３】
ラウドスピーカ（１１８、４１８）によって前記オーディオ信号（１１４、４１４）を発することを更に含む、請求項１又は２に記載の方法。
【請求項４】
前記オーディオ信号（１１４、４１４）を発することが、前記オーディオデバイス（１０２、４０２）のラウドスピーカ（１１８、４１８）によって実行される、請求項３に記載の方法。
【請求項５】
前記フィードバック画像データが、静止画像（２００、３００）又はビデオシーケンスを含む、請求項１から４のいずれか一項に記載の方法。
【請求項６】
前記フィードバック画像データが、ＱＲコード（３０２）、バーコード（２０４）、テキスト（３０４）、及びダイアグラム（２０２）のうちの少なくとも１つを含む、請求項１から５のいずれか一項に記載の方法。
【請求項７】
前記フィードバック画像データが前記オーディオデバイス（１０２、４０２）のオーディオに影響を与える前記設定の変更の仕方の表現を含むように、前記データ処理ユニット（４２２、４３０）によって処理すること（５０４）が、前記オーディオ信号（１１４、４１４）の前記登録された表現を処理することを更に含む、請求項１から６のいずれか一項に記載の方法。
【請求項８】
前記オーディオデバイス（１０２）のデータ処理ユニット（４２０）によって、前記フィードバック画像データを処理（５０４）し、前記オーディオデバイス（４２０）のオーディオ設定の変更の仕方を決定することを更に含む、請求項１から７のいずれか一項に記載の方法。
【請求項９】
前記周辺デバイス（１１６、４１６）が、携帯電話、携帯情報端末、コンピュータ、タブレットコンピュータ、又はオーディオキャリブレーションデバイスであり、前記周辺デバイス（１１６、４１６）が、マイクロフォン（１０８、４０８）及びディスプレイ（１１２、４１２）を備える、請求項２から８のいずれか一項に記載の方法。
【請求項１０】
前記オーディオデバイス（１０２、４０２）が相互通信ステーションである、請求項１から９のいずれか一項に記載の方法。
【請求項１１】
オーディオデバイスのオーディオキャリブレーションのためのシステム（１００、４００）であって、
カメラ（１０６、４０６）及びオーディオ設定ユニット（１０４、４０４）を備える前記オーディオデバイス（１０２、４０２）、
マイクロフォン（１０８、４０８）及びディスプレイ（１１２、４１２）を備える周辺デバイス（１１６、４１６）、及び
データ処理ユニット（４２０、４２２、４３０）を備え、
前記マイクロフォン（１０８、４０８）が、オーディオ信号（１１４、４１４）の表現を登録するように構成され、
前記データ処理ユニット（４２０、４２２、４３０）が、前記オーディオ信号（１１４、４１４）の前記登録された表現をフィードバック画像データへと処理するように構成され、
前記ディスプレイ（１１２、４１２）が、前記フィードバック画像データを表示するように構成され、
前記カメラ（１０６、４０６）が、前記ディスプレイ（１１２、４１２）上に表示される前記フィードバック画像データを取得するように構成され、及び
前記オーディオ設定ユニット（１０４、４０４）が、前記カメラ（１１８、４１８）によって取得された前記フィードバック画像データに基づいて、前記オーディオデバイス（１０２、４０２）のオーディオに影響を与える設定を変更するように構成される、システム。
【請求項１２】
オーディオ信号（１１４、４１４）を発するように構成されるラウドスピーカ（１１８、４１８）を更に備える、請求項１１に記載のシステム。
【請求項１３】
前記オーディオデバイス（１０２、４０２）が前記ラウドスピーカ（１１８、４１８）を備える、請求項１２に記載のシステム。
【請求項１４】
前記フィードバック画像データが、ＱＲコード（３０２）、バーコード（２０４）、テキスト（３０４）、及びダイアグラム（２０２）のうちの少なくとも１つを含む、請求項１１から１３のいずれか一項に記載のシステム。
【請求項１５】
前記フィードバック画像データが前記オーディオデバイス（１０２、４０２）のオーディオに影響を与える前記設定の変更の仕方の表現を含むように、前記データ処理ユニット（４２２、４３０）が、前記オーディオ信号（１１４、４１４）の前記登録された表現を処理するように構成される、請求項１１から１４のいずれか一項に記載のシステム。
【発明の詳細な説明】
【技術分野】
【０００１】
本発明は、オーディオデバイスのオーディオキャリブレーションのための方法及びシステムに関する。
【背景技術】
【０００２】
オーディオデバイスの聴覚経験は、オーディオデバイスのオーディオに影響を与える設定の変更によって変えることができる。つまり、オーディオデバイスのボリューム、バランス、トレブル、及び／又は位置などの設定、又はその一部を変更して、望む聴覚経験を得ることができる。しかしながら、オーディオデバイスの設置者及び／又はユーザにとっては、聴覚経験に基づいてオーディオに影響を与える設定にアクセスして設定を行うことは、複雑な作業である。オーディオデバイスの環境によって聴覚経験が影響されることにより、状況は更に複雑になる。環境は、例えば、聴覚経験が影響を受けるような周囲音並びに音を妨げる物体が含み得る。オーディオデバイス又はそのパーツは、更に、設置者及び／又はユーザから視覚的に妨げられるか、及び／又は距離を置いて配置される場合があり、これにより、聴覚経験を変えるためにオーディオデバイスのオーディオに影響を与える設定を効率的に変更することが妨げられる場合がある。
【発明の概要】
【０００３】
本発明の目的は、オーディオデバイスのオーディオキャリブレーションを実行するためのより効率の良い方法を提供することである。
【０００４】
本発明の第１の態様によると、この目的及び他の目的は、オーディオデバイスのオーディオキャリブレーションのための方法を提供することによって達成される。この方法は、オーディオ信号の表現をマイクロフォンによって登録すること、データ処理ユニットによって、オーディオ信号の登録された表現をフィードバック画像データへと処理すること、フィードバック画像データをディスプレイ上で表示すること、ディスプレイ上に表示されるフィードバック画像データをカメラによって取得すること、及びカメラによって取得されたフィードバック画像データに基づいて、オーディオデバイスのオーディオに影響を与える設定を変更することを含む。
【０００５】
オーディオ信号という用語は、任意の聴覚信号として理解するべきである。一実施形態では、オーディオ信号には、約２０から２０、０００Ｈｚのオーディオ周波数範囲内の周波数が含まれてもよい。つまり、オーディオ信号には、人間が聞き取れる少なくとも１つのトーンが含まれる。オーディオ信号には、時間的に同時的又は連続的である複数のトーンが含まれてもよい。オーディオ信号には、オーディオ周波数の範囲外、すなわち、人間の聞き取り限度を越えた周波数であるが、音声マイクロフォンによって登録することができる周波数が含まれてもよい。オーディオ信号は、周囲音から生じることができる。オーディオ信号は、ラウドスピーカから発せられてもよい。
【０００６】
フィードバック画像データという用語は、オーディオ信号の送信者への応答としてフィードバックするデータとして更に理解するべきである。フィードバック画像データは、ディスプレイ上の画像として、例えばピクセルによって、表現（すなわち視覚化）されてもよい。つまり、フィードバック画像データには、光学機器によって読み取り可能なデータの表現が含まれてもよい。
【０００７】
この方法の利点は、情報チャネルがカメラとディスプレイとの間に確立されることであり、この情報チャネルを通して、オーディオ信号の登録された表現から生じるフィードバック画像データを伝送することができ、この情報チャネルに基づいて、オーディオデバイスのオーディオに影響を与える設定を変更することができる。つまり、マイクロフォンによって登録され、認識されたオーディオ信号に対するフィードバックは、ディスプレイを介して提供され、オーディオデバイスのキャリブレーションを促進する。
【０００８】
新しい情報チャネルを開くことによって、カメラとディスプレイとの間にある、ネットワークチャネルなどの共通チャネルの帯域幅における制約が軽減される。オーディオデバイスの単純でコスト効率の良いオーディオキャリブレーションが得られる。この方法では、所望する聴覚経験を得るように、オーディオデバイスの設置者及び／又はユーザのための単純化が行われる。
【０００９】
オーディオ信号の登録は、周辺デバイスのマイクロフォンによって実行されてもよい。これによって、オーディオデバイスの設置者及び／又はユーザは、周辺デバイスを使用してオーディオ信号を登録することができる。これによって、オーディオ信号の表現の効率良く且つ再現可能な登録は、例えば、特定の設置者及び／又はユーザのオーディオ登録能力とは無関係に提供される。周辺デバイスによって、マイクロフォンをオーディオデバイスに対して効率良く位置決めすることが更に可能になる。オーディオデバイスに対して様々な距離を有し得る様々な位置で周辺デバイスの位置決めが可能であることにより、オーディオデバイスのキャリブレーションの改善を達成することができる。つまり、複数のキャリブレーションポイント、すなわち、オーディオデバイスの位置に対する周辺デバイスの位置を使用することにより、オーディオデバイスのキャリブレーションの改善を達成することができる。
【００１０】
オーディオ信号の登録された表現をフィードバック画像データへと処理することは、周辺デバイスのデータ処理ユニット上で実行されてもよい。この利点は、更なる処理手段を一切必要とせずに、フィードバック画像データを周辺デバイスによって提供できることである。周辺デバイスと周辺デバイスの外部の他のデータ処理ユニットとの間の通信は、フィードバック画像データを提供するために必要ではない。これによって、オーディオデバイスのキャリブレーションのための単純でコスト効率の良い方法が提供される。
【００１１】
フィードバック画像データの表示は、周辺デバイスのディスプレイ上で実行されてもよい。したがって、フィードバック画像データは、カメラがフィードバック画像データを取得することができるように、単純で直接的な態様でカメラに対して提示されてもよい。フィードバック画像データは、例えば、オーディオデバイスの設置者及び／又はユーザに対して更に表示されてもよい。フィードバック画像データを表示するための追加手段が必要ではないため、オーディオデバイスのキャリブレーションのための単純でコスト効率の良い方法が提供される。周辺デバイスに対してアクセスを有するオーディオデバイスの設置者及び／又はユーザは、効果的な態様で、フィードバック画像データに更にアクセスすることができる。
【００１２】
フィードバック画像データの取得は、オーディオデバイスのカメラによって実行されてもよい。これによって、オーディオデバイスは、表示されたフィードバック画像データに直接アクセスすることができる。これによって、ディスプレイからオーディオデバイスにフィードバック画像データが効率良く伝送されることがもたらされる。
【００１３】
この方法は、ラウドスピーカによってオーディオ信号を発することを更に含んでもよい。これによって、オーディオ信号のトーンスペクトラム（ｔｏｎｅ  ｓｐｅｃｔｒｕｍ）及びボリュームなどの物理特性の制御の改善を得ることができる。これによって、オーディオ信号の望ましい分光分布及び振幅分布がもたらされることができる。オーディオ信号の発出の望ましい時間分布を更に達成することができる。
【００１４】
適切なラウドスピーカを選択すること及び／又はその位置を制御することによって、オーディオ信号の発出の方向性を制御することができ、それにより、マイクロフォンがオーディオ信号の表現を効率良く登録することができる。
【００１５】
オーディオ信号の発出は、オーディオデバイスのラウドスピーカによって実行されてもよい。オーディオデバイスの動作中に使用されるラウドスピーカをオーディオ信号の発出のために更に使用することができるため、オーディオデバイスのオーディオキャリブレーションの改善を達成することができる。これによって、オーディオデバイスのオーディオキャリブレーションをもたらすための単純で効率良い方法を提供することができる。
【００１６】
フィードバック画像データは、静止画像又はビデオシーケンスを含んでもよい。静止画像又はビデオシーケンスは、フィードバック画像データを効率良く提供することができ、フィードバック画像データに基づいてオーディオデバイスのオーディオに影響を与える設定を変更できる。
【００１７】
フィードバック画像データは、ＱＲコード、バーコード、テキスト、及びダイアグラムのうちの少なくとも１つを含んでもよい。これによって、明確で分かりやすいフィードバック画像データを提供することができる。オーディオ信号の登録された表現が、明瞭且つ単純に提示される。
【００１８】
ダイアグラムという用語は、ここでは、白黒の及び／又は彩色されたグラフ、ヒストグラム、又はチャートとして、データの２次元及び３次元のビジュアライゼーションを含むと更に広く解釈するべきである。
【００１９】
データ処理ユニットによって処理することは、フィードバック画像データがオーディオデバイスのオーディオに影響を与える設定の変更の仕方の表現を含むように、オーディオ信号の登録された表現を処理することを更に含んでもよい。したがって、カメラによって取得されたフィードバック画像データに基づいて、オーディオデバイスのオーディオに影響を与える設定の変更の仕方の表示を提供するための効率の良いチャネルが提供されてもよい。オーディオに影響を与える設定の変更の表現を提供することによって、効率の良いオーディオキャリブレーションが達成され、これにより、望ましいオーディオ経験を達成することができる。オーディオデバイスの単純でコスト効率の良いオーディオキャリブレーションが更に提供される。
【００２０】
この方法は、オーディオデバイスのデータ処理ユニットによって、フィードバック画像データを処理し、オーディオデバイスのオーディオ設定の変更の仕方を決定することを更に含んでもよい。これによって、フィードバック画像データに基づいてオーディオデバイスのオーディオに影響を与える設定は、オーディオデバイスによって効率良く変更されてもよく、それによって、オーディオデバイスのオーディオキャリブレーションが実行される。
【００２１】
周辺デバイスは、携帯電話、携帯情報端末、コンピュータ、タブレットコンピュータ、又はオーディオキャリブレーションデバイスであってもよく、周辺デバイスは、マイクロフォン及びディスプレイを備える。これによって、オーディオデバイスのオーディオキャリブレーションのための汎用性が高い方法が提供される。
【００２２】
オーディオデバイスは、相互通信ステーションであってもよい。
【００２３】
相互通信ステーションという用語は、２つの別々の位置の間の片方向又は双方向の可聴通信（それぞれシンプレックス通信又はデュプレックス通信とも呼ばれる）を可能にするステーションとして理解するべきでる。デュプレックス通信は、フルデュプレックス又はハーフデュプレックスであってもよい。相互通信ステーションは、したがって、ポイントツーポイント通信を可能にする。相互通信ステーションは、例えば、相互通信ステーションに向かって話をする人が、相互通信ステーションから離れた場所でも聞かれることを可能にすることができる。相互通信ステーションに近い人は、相互通信ステーションを介して更に通信することができる。
【００２４】
本発明の第２の態様によると、オーディオデバイスのオーディオキャリブレーションのためのシステムが提供される。このシステムは、オーディオ設定ユニット、カメラ、マイクロフォン、データ処理ユニット、及びディスプレイを備え、マイクロフォンは、オーディオ信号の表現を登録するように構成され、データ処理ユニットは、オーディオ信号の登録された表現をフィードバック画像データへと処理するように構成され、ディスプレイは、フィードバック画像データを表示するように構成され、カメラは、ディスプレイ上に表示される前記フィードバック画像データを取得するように構成され、及びオーディオ設定ユニットは、カメラによって取得されたフィードバック画像データに基づいて、オーディオデバイスのオーディオに影響を与える設定を変更するように構成される。
【００２５】
このシステムは、オーディオ信号を発するように構成されるラウドスピーカを更に備える。
【００２６】
オーディオデバイスのオーディオキャリブレーションのためにシステムの機能及び利点は、この方法に関連して以上で説明される。上述した特徴は、適用可能である場合、この第２の態様にも同様に適用される。
【００２７】
本発明は、特許請求の範囲に記載されたすべての可能な特徴の組み合わせに関連することが留意される。
【図面の簡単な説明】
【００２８】
本発明のこれらの態様及び他の態様は、本発明の実施形態を示す添付の図面を参照しながら、これより更に詳細に説明される。図面に示すように、層と領域のサイズは、図示目的のために拡大されており、したがって、本発明の実施形態の一般構造を示すために提供される。類似の参照番号は、全体を通して類似の要素を指す。
【００２９】
【図１】本発明の１つの実施形態に係る、オーディオデバイスのオーディオキャリブレーションのためのシステムを示す。
【図２】本発明の１つの実施形態に係る、フィードバック画像データの表示を示す。
【図３】本発明の別の実施形態に係る、フィードバック画像データの表示を示す。
【図４】本発明の別の実施形態に係る、オーディオデバイスのオーディオキャリブレーションのためのシステムを示す。
【図５】本発明の１つの実施形態に係る、オーディオデバイスのオーディオキャリブレーションのための方法を示す。
【発明を実施するための形態】
【００３０】
これより、本発明の現在の好適な実施形態を示す添付図面を参照して、本発明を以下により詳細に説明する。しかしながら、本発明は、多くの異なる形態で具現化することができ、本明細書で説明される実施形態に限定されるものと解釈されるべきではなく、これらの実施形態は、むしろ、本開示が包括的で完全となるように提供されており、当業者に本発明の範囲を十分に伝えるためのものである。
【００３１】
以下では、オーディオデバイスのオーディオキャリブレーションのための方法及びシステムが、図１から図５を参照して説明される。
【００３２】
図１は、本発明の１つの実施形態に係る、オーディオデバイス１０２のオーディオキャリブレーションのためのシステム１００を示す。システム１００は、オーディオ設定ユニット１０４、カメラ１０６、マイクロフォン１０８、データ処理ユニット１１０、及びディスプレイ１１２を備える。
【００３３】
マイクロフォン１０８は、オーディオ信号１１４の表現を登録するように構成される。マイクロフォン１０８は、音声マイクロフォンである。
【００３４】
データ処理ユニット１１０は、オーディオ信号１１４の登録された表現をフィードバック画像データに処理するように構成される。画像フィードバックデータがディスプレイ１１２上に更に表示され、それにより、表示されたフィードバック画像データがカメラ１０６によって取得され得る。オーディオ設定ユニット１０４は、以下で更に説明されるように、カメラ１０６によって取得されるフィードバック画像データに基づいて、オーディオデバイス１０２のオーディオ１０２に影響を与える設定を変更するように構成される。
【００３５】
この実施形態によると、カメラ１０６及びオーディオ設定デバイス１０４は、オーディオデバイス１０２に組み込まれる。このことは、独立型オーディオデバイス１０２を提供することができるため、有利である。この実施形態では、オーディオデバイス１０２は、ドアステーションなどの相互通信ステーション（ｉｎｔｅｒｃｏｍｍｕｎｉｃａｔｉｏｎ  ｓｔａｔｉｏｎ）である。
【００３６】
マイクロフォン１０８、データ処理ユニット１１０、及びディスプレイ１０８は、この実施形態によると、周辺デバイス１１６に一体化される。周辺デバイス１１６は、手持ち式デバイスであってもよい。周辺デバイス１１６は、例えば、マイクロフォン及びディスプレイを備える、携帯電話、携帯情報端末、コンピュータ、タブレットコンピュータ、又はオーディオキャリブレーションデバイスであってもよい。
【００３７】
情報チャネルが、カメラ１０６とディスプレイ１１２との間に確立される。結果として、オーディオデバイス１０２と周辺デバイス１１６との間のネットワークチャネルなどの共通チャネルの帯域幅における制約を、例えば、減少させることができる。つまり、カメラ１０６及びディスプレイ１１２が設ける情報チャネルによって、周辺デバイス１１６が、電気通信ネットワークなどの通信ネットワークを介して通信する必要がない結果となる。通信ネットワークは、代替的に、ローカルエリアネットワーク（ＬＡＮ）などの、インターネット、イントラネット、又はイーサネットによって提供されてもよい。これによって、オーディオデバイス１０２と周辺デバイス１１６との間の単純でコスト効率の良い情報交換が得られる。
【００３８】
この実施形態によると、システム１００は、オーディオ信号１１４を発するように構成されるラウドスピーカ１１８を更に備える。オーディオデバイス１０２が、オーディオ信号１１４を発するためのラウドスピーカ１１８を備えることは有利である。なぜなら、この同じラウドスピーカ１１８を、オーディオデバイス１０２のオーディオキャリブレーションのため、並びにオーディオ信号をオーディオデバイス１０２の設置者及び／又はユーザに供給するために使用することができるためである。これによって、オーディオデバイス１０２のより効率良いオーディオキャリブレーションがもたらされ得る。オーディオデバイス１０２が、ラウドスピーカ１１８を使用してオーディオ信号１１４の発生をもたらすことによって、状況に応じて、好ましい且つ最適化されたオーディオ信号１１４を使用することができる。つまり、これによって、オーディオ信号のトーンスペクトラム及びボリュームなどの物理特性の制御の改善を得ることができる。
【００３９】
オーディオ信号１１４には、例えば、約２０から２０、０００Ｈｚのオーディオ周波数範囲内の周波数が含まれてもよい。これによって、オーディオ信号１１４には、人間が聞き取れる少なくとも１つのトーンが含まれる。オーディオデバイス１０２のオーディオキャリブレーションは、結果として、聴き取り可能な周波数スパン内で提供され、オーディオデバイス１０２のユーザにとって適切であることができる。
【００４０】
オーディオ信号１１４には、時間的に同時的又は連続的である複数のトーンを更に含まれてもよく、これによって、オーディオキャリブレーションの品質が改善されることができる。オーディオ信号１１４は、キャリブレーショントーンであってもよい。
【００４１】
オーディオ信号１１４には、オーディオ周波数の範囲外、すなわち、人間の聞き取り限度を越えた周波数であるが、音声マイクロフォン１０８によって登録することができる周波数が更に含まれてもよい。これは、オーディオデバイス１０２のユーザのために聴覚経験の改善をもたらすために有利であることができる。
【００４２】
オーディオ信号１１４には、マイクロフォン１０８が曝される、周囲音、すなわち、ラウドスピーカ１１８ではない音源からの音が更に含まれてもよい。これは、例えば、オーディオデバイス１０２のオーディオキャリブレーションを実行するときに、オーディオデバイス１０２及び／又は周辺デバイス１１６の背景音が考慮され得るため、有利である。オーディオデバイス１０２のキャリブレーションを行うときに、例えば、賑やかな通りの音の環境を考慮してもよく、それにより、オーディオデバイス１０２のユーザは、オーディオキャリブレーションの後、オーディオデバイス１０２のラウドスピーカ１１８によって発せられる音を周囲音とより良く区別することができる。これによって、聴覚経験の改善がシステム１００によって提供される。
【００４３】
他の実施形態によると、オーディオ信号は、周囲音のみを含んでもよい。周囲音は、オーディオデバイスのキャリブレーションのために使用される。したがって、このような実施形態では、オーディオキャリブレーションのためにオーディオ信号を発するラウドスピーカは必要ない。これによって、パーツがより少ないオーディオデバイスのオーディオキャリブレーションのためのシステムが提供される。
【００４４】
オーディオデバイス１０２は、マイクロフォン（図示せず）を更に備えてもよいことに留意するべきである。これによって、全二重のオーディオデバイス１０２が提供されてもよい。オーディオデバイス１０２の設置者及び／又はユーザは、オーディオデバイス１０２を介して、すなわち、そのカメラ１０６、ラウドスピーカ１１８、及びマイクロフォンという手段によって、オーディオデバイス１０２及びオーディオデバイス１０２のオペレータと通信を行うことができる。つまり、オーディオデバイス１０２によってポイントツーポイント通信が可能となり、それにより、オーディオデバイス１０２に向かって話をするオーディオデバイス１０２の設置者及び／又はユーザの声が、オーディオデバイス１０２から離れた場所でも聞こえる。
【００４５】
更に図１を参照すると、データ処理ユニット１１０が、周辺デバイス１１６の一部であるように示される。データ処理ユニット１１０は、マイクロフォン１０８によって登録されるオーディオ信号１１４の表現を処理するように構成される。オーディオ信号１１４の登録された表現は、更にフィードバック画像データへと処理される。フィードバック画像データは、オーディオデバイス１０２のカメラ１０６によって取得することができるように、周辺デバイス１１６のディスプレイ１１２上で表示される。この利点は、更なる処理手段を必要とせずに周辺デバイス１１６によってフィードバック画像データを提供することができることである。周辺デバイス１１６と周辺デバイス１１６の外部の他のデータ処理ユニットとの間の通信は、結果として、フィードバック画像データを提供するために必要ではない。オーディオデバイスの単純でコスト効率の良いキャリブレーションが提供される。
【００４６】
しかしながら、以下で説明されるように、データ処理ユニットは、周辺デバイス１１６の外部で構成され得ることに留意するべきである。
【００４７】
図２は、周辺デバイス１１６のディスプレイ１１２上で実行されるフィードバック画像データの表示を示す。この実施形態によると、フィードバック画像データは、ダイアグラム２０２を表示する静止画像２００及び機器で読み取り可能なバーコード２０４を含む。ダイアグラム２０２及びバーコード２０４は、ラウドスピーカ１１８から発せられたオーディオ信号１１４の、マイクロフォン１０８によって登録された表現に関する情報を提供する。フィードバック画像データは、したがって、例えば、オーディオデバイスの設置者及び／又はユーザに対して、単純且つ直接的に表示されてもよい。
【００４８】
フィードバック画像データは、様々な実施形態において、例えば、「これは登録されたオーディオ信号である」或いは代替的により複雑な情報、すなわち、データ処理ユニットによって処理される登録されたオーディオ信号に関連する情報を含む、単純な情報を含んでもよいことに留意するべきである。この複雑な情報は、例えば、オーディオデバイス１０２のオーディオに影響を与える設定の変更の仕方に関する情報を含んでもよい。
【００４９】
フィードバック画像データは、ラウドスピーカ１１８によって発せられた既定のオーディオ信号と、マイクロフォン１０８によって登録された既定のオーディオ信号の登録された表現との間の差異に関する情報を含んでもよい。例えば、既定のオーディオ信号のスペクトル特性が周辺デバイスに伝えられている場合、差異が生じることがある。既定のオーディオ信号は、標準化されることができる。
【００５０】
他の実施形態によると、周辺デバイスは、オーディオデバイスから発せられるべきオーディオ信号のスペクトル特性に関連する情報をオーディオデバイスに供給することができる。
【００５１】
周辺デバイスに対してアクセスを有するオーディオデバイスの設置者及び／又はユーザは、効果的な態様で、フィードバック画像データに更にアクセスすることができる。オーディオデバイス１０２の設定者は、表示された静止画像２００に基づいて、オーディオデバイス１０２のキャリブレーション状態に関する知識を得ることができる。表示された静止画像２００のダイアグラム２０２は、例えば、オーディオデバイスのキャリブレーション１０２の状況が、発せられたオーディオ信号１１４のスペクトル特性とオーディオ信号１１４の登録された表現とが既定の許容誤差範囲内で一致する状況であることを示す場合がある。このような場合、オーディオデバイス１０２の更なるキャリブレーションが必要でない場合がある。
【００５２】
しかしながら、別の状況では、オーディオデバイス１０２の設置者は、表示された静止画像２００によって、オーディオデバイス１０２の更なるキャリブレーションが必要であることを認識させられる場合がある。代替的に、オーディオ設定ユニット１０４は、取得され且つ表示される静止画像２００に基づいて、オーディオデバイス１０２の更なるキャリブレーションが必要であるかどうかを決定する場合がある。
【００５３】
表示されたフィードバック画像データは、オーディオデバイス１０２に関連して、周辺デバイス１１６、すなわち、周辺デバイス１１６のマイクロフォン１０８及び／又はディスプレイ１１２をどこに位置決めするかに関する情報を、オーディオデバイス１０２の設置者及び／又はユーザに対して、提供することができる。オーディオデバイスのキャリブレーション１０２は、したがって、オーディオデバイス１０２の動作にとって適切であり得るオーディオデバイス１０２の周辺の特定位置で実行されてもよい。周辺デバイス１１６は、例えば、オーディオデバイス１０２の設置者及び／又はユーザが、オーディオデバイス１０２に関連して位置する可能性のある位置に配置されてもよい。周辺デバイス１１６は、更に、オーディオデバイス１０２のキャリブレーションの改善が得られるように種々の位置に配置してもよい。このことは、オーディオデバイス１０２又はそのパーツが遮られるかどうかによって、オーディオデバイスの設置者及び／又はユーザが、オーディオデバイス１０２に関連して種々の位置に位置することができるため、有利である。オーディオに影響を与える設定を直接変更することを妨げる可能性がある、オーディオデバイス１０２の設置者及び／又はユーザから離れるように配置されるオーディオデバイス１０２又はそれらのパーツに関連する問題が更に軽減され、それにより、オーディオデバイスのオーディオに影響を与える設定の効率良い変更がもたらされる。
【００５４】
静止画像２００は、カメラ１０６によって取得されるフィードバック画像データを効率良く提供するように構成される。オーディオ設定ユニット１０４は、カメラ１０６によって取得されたフィードバック画像データに基づいて、オーディオデバイス１０２のオーディオに影響を与える設定を変更してもよい。静止画像２００の、機器で読み取り可能なバーコード２０４は、オーディオデバイス１０２のカメラ１０６によって効率良く取得することができる、単純で直接的な画像を提供する。フィードバック画像データを表示する追加手段が必要ないため、オーディオデバイス１０２をキャリブレーションするための、単純でコスト効率の良い方法が提供される。
【００５５】
他の実施形態によると、フィードバック画像データは、ＱＲコード、バーコード、テキスト、及びダイアグラムのうちの少なくとも１つを含んでもよい。これによって、明確で分かりやすいフィードバック画像データを提供することができる。オーディオ信号の登録された表現が、明瞭且つ単純に提示される。
【００５６】
他の実施形態によると、フィードバック画像データは、ビデオシーケンスを含んでもよい。
【００５７】
図３は、本発明の別の実施形態に係る、ディスプレイ１１２上に表示されるフィードバック画像データを示す。フィードバック画像データは、静止画像３００として提示され、オーディオデバイスのオーディオに影響を与える設定の変更の仕方の表現を含む。静止画像３００は、クイックレスポンスコード（ＱＲコード）３０２として表示されるフィードバック画像データを含む。一例として、ＱＲコード３０２は、「ボリュームを５まで上げる」という指示を表示し、更にディスプレイ１１２上でテキスト３０４として表示される。この指示は、オーディオ信号１１４の登録された表現を処理した結果生じるものであり、これによって、フィードバック画像データには、カメラ１０６によって取得され得る、オーディオデバイスのオーディオに影響を与える設定の変更の仕方の表現が含まれる。
【００５８】
フィードバック画像データを取得した後、オーディオデバイス１０２のオーディオ設定ユニット１０４は、指示に基づいて、オーディオデバイス１０２のオーディオに影響を与える設定を変更する場合がある。これによって、フィードバック画像データに基づいて、オーディオデバイス１０２のオーディオに影響を与える設定の変更の仕方の表示を提供する効率の良いチャネルを提供することができる。オーディオに影響を与える設定の変更の仕方に関する指示を提供することによって、オーディオデバイス１０２の効率の良いオーディオキャリブレーションが達成され、オーディオデバイス１０２によって、望ましいオーディオ経験を提供することができる。
【００５９】
図４は、本発明の別の実施形態に係る、オーディオデバイス４０２のオーディオキャリブレーションのためのシステム４００を示す。システム４００は、オーディオ設定ユニット４０４、カメラ４０６、マイクロフォン４０８、複数のデータ処理ユニット４２０、４２２、４３０、及びディスプレイ４１２を備える。カメラ４０６及びオーディオ設定デバイス４０４は、オーディオデバイス４０２内に含まれる。システム４００は、オーディオ信号４１４を発するように構成されるラウドスピーカ４１８を更に備える。
【００６０】
マイクロフォン４０８及びディスプレイ４０８は、周辺デバイス４１６内に含まれる。
【００６１】
データ処理ユニット４３０は、周辺デバイス４１６の外部に配置される。データ処理ユニット４３０は、ローカルエリアネットワーク（ＬＡＮ）、インターネット、又は電気通信ネットワークなどの通信ネットワーク４４０内に位置してもよい。これによって、オーディオ信号４１４の登録された表現に関連するデータなどのデータを周辺デバイス４１６が処理するための要件が緩和される。
【００６２】
データ処理ユニット４２０及び４２２によって例示されるように、オーディオデバイス４０２及び／又は周辺デバイス４１６は、データ処理ユニットを更に備える。オーディオデバイス４０２のデータ処理ユニット４２０は、オーディオ設定ユニット４０４がオーディオデバイス４０２のオーディオに影響を与える設定の変更の仕方に関する入力データを受信するように、カメラ４０６によって取得される、ディスプレイ４１２上で表示されるフィードバック画像データを処理するように構成されてもよい。オーディオデバイス４０２のデータ処理ユニット４２０は、フィードバック画像データを処理するように更に構成されてもよく、それによって、オーディオデバイス４０２のオーディオ設定の変更の仕方を決定する。これによって、例えば、更に処理ユニット４３０が周辺デバイス４１６に一時的に接続されていなくても、効率の良いオーディオキャリブレーションが可能となる。
【００６３】
周辺デバイス４１６のデータ処理ユニット４２２及びデータ処理ユニット４３０は、合同で又は個別に、オーディオ信号の登録された表現をフィードバック画像データへと処理するか、及び／又は、フィードバック画像データをディスプレイ４１２上で表示することができる。
【００６４】
他の実施形態によると、オーディオデバイス４０２のデータ処理ユニット４２０及び通信ネットワーク内に含まれる追加的なデータ処理ユニット（図示せず）は、合同で又は個別に、カメラ４０６によって取得されるフィードバック画像データに基づいて、オーディオデバイス４０２のオーディオに影響を与える設定を変更するためのデータ入力値を提供するか、及び／又は、取得されたフィードバック画像データを処理して、オーディオデバイス４０２のオーディオ設定の変更の仕方を決定することができる。
【００６５】
図５を参照すると、オーディオデバイスのオーディオキャリブレーションのための方法５００が例示される。この方法５００は、オーディオ信号の表現をマイクロフォンによって登録するステップ（５０２）、データ処理ユニットによって、オーディオ信号の登録された表現をフィードバック画像データへと処理するステップ（５０４）、フィードバック画像データをディスプレイ上で表示するステップ（５０６）、ディスプレイ上に表示されるフィードバック画像データをカメラによって取得するステップ（５０８）、及びカメラによって取得されたフィードバック画像データに基づいて、オーディオデバイスのオーディオに影響を与える設定を変更するステップ（５１０）を含む。
【００６６】
方法５００を使用する機能及び利点は、オーディオデバイスのキャリブレーションのためのシステムに関連して以上で説明されている。過度の繰返しを避けるために、以上の記載が参照される。
【００６７】
当業者は、本発明は、決して上述の好適な実施形態に限定されないことを認識するであろう。逆に、添付の特許請求項の範囲内の多くの修正例及び変形例が可能である。
【００６８】
オーディオシステムは、ネットワークを介してオーディオデバイスに接続されるラウドスピーカ（図示せず）を備えてもよい。ラウドスピーカは、したがって、オーディオデバイスに遠隔的に接続されてもよい。これによって、様々な状況のために構成され得るモジュラーオーディオデバイス（ｍｏｄｕｌａｒ  ａｕｄｉｏ  ｄｅｖｉｃｅ）を提供することができる。ラウドスピーカは、例えば、望まれる聴覚経験によって、容易に交換することができる。オーディオシステムは、更に幾つかのラウドスピーカを備えてもよい。
【００６９】
カメラ及びディスプレイは、更に、オーディオデバイスのオーディオキャリブレーションのための方法の多用途性を単純化且つ拡大する種々のネットワークチャネル又はネットワークに属してもよい。
【００７０】
オーディオデバイスは、ドアステーションであってもよい。
【００７１】
加えて、図面、開示内容、及び添付の特許請求項を精査することにより、特許請求される本発明の実施において、当業者が、開示された実施形態の変形例を理解し実行することが可能である。「備える／含む（ｃｏｍｐｒｉｓｉｎｇ）」という語は、他の要素又はステップを除外するものではなく、「１つの（ａ又はａｎ）」などの不定冠詞は複数を除外しない。ある特定の測定値が互いに異なる独立請求項に記されるという事実は、利益をもたらすためにこれらの測定値の組み合わせを使用できないことを示すものではない。
【図１】
2016092836.tif 000003
【図２】
2016092836.tif 000004
【図３】
2016092836.tif 000005
【図４】
2016092836.tif 000006
【図５】
2016092836.tif 000007
【外国語明細書】
2016092836000001.pdf
2016092836000002.pdf
2016092836000003.pdf
2016092836000004.pdf